(57)【要約】【課題】  カメラ付き携帯電話と二次元コードとを都合良く一体化させることで、移動中の情報へのアクセスを可能にする。またこのアクセス認証を可能にする。【解決手段】  この発明の情報アクセサリーは、アクセサリー本体部にカメラ付き携帯電話などの携帯端末に取り付けるための接続具を設けると共にＵＲＬアドレスなどのデータをコード化した２次元コードを付して成るものである。更にこの情報アクセサリーの任意箇所に認証コードを付して成る。【選択図】  図２
2006330907.tif 000002
【特許請求の範囲】
【請求項１】
アクセサリー本体部に、カメラ付き携帯電話などの携帯端末に取り付けるための取付紐などの接続具が設けられていると共にＵＲＬアドレスなどのデータをコード化した２次元コードが付されていることを特徴とする、情報アクセサリー。
【請求項２】
アクセサリー本体部に、カメラ付き携帯電話などの携帯端末に取り付けるための取付紐などの接続具が設けられていると共にＵＲＬアドレスなどのデータをコード化した２次元コードが付されており、且つこの情報アクセサリーの任意箇所に認証コードが付されていることを特徴とする、情報アクセサリー。
【請求項３】
さらにハンドストラップが取り付けられている請求項１または請求項２に記載の情報アクセサリー。
【請求項４】
アクセサリー本体部は、一方の面側に写真やイラストなどのイメージが付されており、他方の面側に２次元コードが付されている、請求項１または請求項２に記載の情報アクセサリー。
【請求項５】
２次元コードに汚れ防止の透明カバーが掛けられている請求項１または請求項２に記載の情報アクセサリー。
【請求項６】
アクセサリー本体部が透明体から成り、この透明体の裏面側に反転された２次元コードが付されている、請求項１または請求項２に記載の情報アクセサリー。
【請求項７】
２次元コードに秘匿用のマスクが掛けられている請求項１または請求項２に記載の情報アクセサリー。
【請求項８】
認証コードに秘匿用のマスクが掛けられている請求項１または請求項２に記載の情報アクセサリー。
【請求項９】
複数個の２次元コードが付されていると共にそれらの読み取り順が示されている、請求項１または請求項２に記載の情報アクセサリー。
【請求項１０】
２次元コードに経緯度などの位置情報が含まれている請求項１または請求項２に記載の情報アクセサリー。
【請求項１１】
ＵＲＬアドレスなどのデータをコード化した２次元コードを読み込んでこのデータが示すサーバに接続することができるカメラ付き携帯電話などの携帯端末と、この携帯端末からの要求に応えて観光案内などの情報を携帯端末に送信する情報サーバとから成るサーバクライアントシステムに於いて、前記２次元コードをサーバからの情報を必要としている携帯端末に取付紐などの接続具で取り付けられたアクセサリー本体部に設けておくと共に認証コードをこの情報アクセサリーの任意箇所に設けておき、携帯端末側ではこの２次元コードを携帯端末のカメラで読み取り前記データを得て情報サーバにアクセスし、これに応じて情報サーバは携帯端末に認証を求め、携帯端末は前記認証コードを送信し、これを情報サーバで認証したら情報サーバは前記情報を携帯端末に送信し、携帯端末はこの情報を受信してこれを出力する、情報システム。
【請求項１２】
ＵＲＬアドレスなどのデータをコード化した２次元コードを読み込んでこのデータが示すサーバに接続することができるカメラ付き携帯電話などの携帯端末と、この携帯端末からの要求に応えて観光案内などの情報を携帯端末に送信する情報サーバとから成るサーバクライアントシステムに於いて、前記２次元コードをサーバからの情報を必要としている携帯端末に取付紐などの接続具で取り付けられたアクセサリー本体部に設けておくと共に認証コードをこの情報アクセサリーの任意箇所に設けておき、携帯端末側ではこの２次元コードを携帯端末のカメラで読み取り前記データを得て情報サーバにアクセスし、これに応じて情報サーバは携帯端末の位置情報を取得して、この位置情報に依存する情報を携帯端末へ送信し、携帯端末はこの情報を受信してこれを出力する、情報システム。
【請求項１３】
２次元コードを読み込んでこのデータが示すサーバに接続することができるカメラ付き携帯電話などの携帯端末に、第１の２次元コードを読み込んでこのデータが示すサーバに接続し、このサーバから送信されたパスワードなどを入力するための入力フォームに第２の２次元コードを読み込んでこのデータを入力して前記サーバへ送信する、情報読み取りプログラム。
【請求項１４】
２次元コードを読み込んでデータを取り出すことができるカメラ付き携帯電話などの携帯端末に、複数の２次元コードを順次読み込んでデータを取り出しそれらを連結して出力する、情報読み取りプログラム。
【請求項１５】
２次元コードを読み込んでデータを取り出すことができるカメラ付き携帯電話などの携帯端末に、２次元コードを読み込んでデータを取り出し、その中から一部分を所定の規則に則って切り出して出力する、情報読み取りプログラム。
【発明の詳細な説明】
【技術分野】
【０００１】
この発明は、カメラ付き携帯電話などの携帯端末に取り付けるための、２次元コードが付されたアクセサリーに関する。またこの２次元コードを携帯端末で読み込んでサーバに接続して、サーバから所要の情報を得るための情報システムに関する。また複数の２次元コードを順次読み込んでデータを取り出しそれらを関連付けて処理する情報読み取りプログラムに関する。
【背景技術】
【０００２】
近年カメラ付きの携帯電話がブームになっている。多くの携帯電話ではＷＷＷブラウジングやインターネットメールの送受信が行なえるようになっているため、カメラで撮った写真を電子メールに添付して送信することなどが盛んに行なわれている。また例えばＱＲコード（登録商標）などの二次元コードをカメラで撮影してデータを取り出すことなども可能になっている。二次元コードでは文字のみならず、イメージを圧縮しエンコードすることも可能である。また本願の時点で携帯電話にストラップをつけているユーザーは７割を越えていると言う調査がある。また上記写真や音楽データの保存のために可搬型記憶媒体が装着可能な携帯電話が増えている。このようにして各種コンテンツを持ち運んでモバイルライフを楽しむことが盛んに行なわれるようになって来ている。
【０００３】
前記可搬型記憶媒体に付いては、特開２００１−６７４４２号公報「可搬型記憶媒体携帯装置」の発明を上げることができる。このものは小型のメモリーカードを携帯電話などと共に携帯し易くするための発明であり、メモリーカードにハンドストラップを取り付けて成るものである。従ってメモリーカードを携帯電話に取り付けておき、必要な時にはこのメモリーカードを携帯電話のスロットに差し込んで使用することができる。
【特許文献１】特開２００１−６７４４２号公報「可搬型記憶媒体携帯装置」
【非特許文献１】「第１５回携帯電話コンテンツ／サービス利用者調査」、２．携帯電話関連アクセサリについて、２００５年５月１６日、インフォシークリサーチ、［２００５年５月１８日検索］、インターネット＜ＵＲＬ：http://research.www.infoseek.co.jp/release/rs_resource_49.phtml＞
【発明の開示】
【発明が解決しようとする課題】
【０００４】
当発明者はこのように能力の高いカメラ付き携帯電話を、さらに有効利用したいものと考えた。また前記ＱＲコード（登録商標）などの二次元コードに関しては、一般的に広告ポスターや雑誌などの印刷物やパーソナルコンピュータの画面などに表示されているものを撮影しているため、二次元コードがある場所でないと使えないと言う問題がある。また前記可搬型記憶媒体をアクセサリーとして持ち歩くにはまだまだ値段が高い。例えばＳＤ（登録商標）カードなるものがあるが、現時点ではどんなに小容量のものであっても店頭の価格で数千円はしているのである。また前記ストラップは携帯電話に取り付けるアクセサリーであるため、前記可搬型記憶媒体がなくても何等かのコンテンツにアクセスできる仕組みを取り付けるなどして有効利用したいものである。
【課題を解決するための手段】
【０００５】
本発明はアクセサリー本体部に、カメラ付き携帯電話などの携帯端末に取り付けるための取付紐などの接続具が設けられていると共に、ＵＲＬアドレスなどのデータをコード化した２次元コードが付されていることを最も主要な特徴とする情報アクセサリーである。上述のように２次元コードは広告ポスターや雑誌などの印刷物やパーソナルコンピュータの画面などに表示されるものであるため、これに可搬性を付与するためには２次元コードくらいの大きさの台紙に印刷するなどしなくてはならない。しかしながらこのように小さく単独のものにすると、紛失し易かったり管理が大変になると言う問題がある。この点を踏まえて本発明では、取付紐などの接続具を設けたアクセサリー本体部に２次元コードを付しているのである。なおこのアクセサリーにとっては、２次元コードと、アクセサリー本体部の形状やそこに印された文字や描かれたイメージとの組み合わせが重要である。
【０００６】
これであれば２次元コード部は常時携帯端末と共にあり、そのカメラで撮影することにより何時でも情報を引き出すことができる。また紛失や管理が大変になるなどの問題はなくなっている。またコンテンツにアクセス可能な情報アクセサリーとしては十分実用になり、土産物などとして安価に販売することができる。なお前記情報としては、おみくじや占い、短文による地域の情報や道案内、懸賞応募のための電子メールのフォーム、或いは写真や音楽ファイルなどのある場所を示すＵＲＬアドレス、携帯端末の在る場所を特定してその地域の地図や天気予報図を生成するＣＧＩ(Common Gateway Interface)プログラムを示すＵＲＬアドレスなど、任意のデータを２次元コードに変換し得る。
【０００７】
上述したように２次元コードがＵＲＬアドレスなどのデータをコード化したものである場合には、携帯端末のカメラで撮影することでＵＲＬアドレスを得ることができ、これによって、携帯端末が情報サーバとの通信機能を備えていれば、携帯端末からコンテンツにアクセスすることができる。また請求項２の発明の情報アクセサリーでは、アクセサリー本体部にＵＲＬアドレスなどのデータをコード化した２次元コードが付されており、且つこの情報アクセサリーの任意箇所に認証コードが付されていることを最も主要な特徴としている。従って携帯端末からコンテンツにアクセスする際に認証コードを用いてアクセス認証することが可能になっている。これによってこの情報アクセサリーを手にしていないと、可搬性の面からも非正規ユーザーと言う立場上からもコンテンツにはさらにアクセスし辛いものとなる。
【０００８】
すなわち、ＵＲＬアドレスなどのデータをコード化した２次元コードを読み込んでこのデータが示すサーバに接続することができるカメラ付き携帯電話などの携帯端末と、この携帯端末からの要求に応えて観光案内などの情報を携帯端末に送信する情報サーバとから成るサーバクライアントシステムに於いて、前記２次元コードを情報サーバからの情報を必要としている携帯端末に取付紐などの接続具で取り付けられたアクセサリー本体部に設けておくと共に認証コードをこの情報アクセサリーの任意箇所に設けておき、携帯端末側ではこの２次元コードを携帯端末のカメラで読み取り前記データを得て情報サーバにアクセスし、これに応じて情報サーバは携帯端末に認証を求め、携帯端末は前記認証コードを送信し、これを情報サーバで認証したら情報サーバは前記情報を携帯端末に送信し、携帯端末はこの情報を受信してこれを出力する情報システムとする。携帯端末が２次元コードからＵＲＬアドレスなどのデータを読み込んで情報サーバにアクセスし、情報サーバからの認証要求に対しては携帯端末から前記認証コードを送信し、情報サーバでこれを認証したら携帯端末は情報を受け取ることができる。なお前記携帯端末の種類に付いて、２次元コードを読み込むためにはカメラが必要であり、また情報サーバと通信する場合では携帯電話や無線ＬＡＮ(Local Area Network)などの通信手段を備えている必要がある。従ってデジタルカメラやカメラ付き携帯電話であれば最初からカメラを備えている。携帯電話でも外部カメラが取り付けられるものもある。半導体メモリを内蔵したオーディオ演奏機にカメラを設けてもよい。また通信手段が必要であれば、デジタルカメラやオーディオ演奏機にこれを設ければよい。このように必要な機能を備えていさえすれば携帯端末の種類には特に限定されない。
【０００９】
なおアクセサリー本体部は台紙であったり、木札や布袋のお守り、メダル、マスコット人形、液晶画面クリーナー、ページを有するミニブック、ピルケース、メモリーカード、ＬＥＤライトなどとすることができる。また２次元コードはアクセサリー本体部の表面に印刷したり、２次元コードが印刷されたシールをアクセサリー本体部の表面に貼付するなどして設ければよい。例えばお守りの布袋には２次元コードが印刷された合成樹脂シートを接着するなどである。このようにアクセサリー本体部の形状や素材は任意であり、また２次元コードをどのように付そうとも全く自由である。また２次元コードは一つでも複数個でもよい。また同一内容の２次元コードで異なる画像サイズのものや、異なる誤り訂正レベルのものを複数個設けるようにしてもよい。また異なる内容の２次元コードの複数個を設けることも可能であり、これによれば例えば絵葉書などを用いて作るスライドショーのコンテンツを得るための２次元コードと、美味しいお店やお得情報などの地域の口コミ情報を交換するための掲示板などへアクセスするための２次元コードとを、一つのアクセサリー本体部に設けるようにすることなどが可能である。またアクセサリー本体部や接続具などに認証コードが付されている場合であるが、認証コードは可視の文字列であっても２次元コードであってもよい。なお接続具としては取付紐（松葉糸、ゴム松葉）のほか、チェーン、ボールチェーン、コイルスプリング、革紐、カニカンなど任意のものを用いることができる。
【００１０】
さてカメラ付き携帯電話などの携帯端末にはハンドストラップが取り付けられていることが多い。ハンドストラップは携帯端末の落下防止に或いはアクセサリーとして役立つ。従って本発明ではアクセサリー本体部に取付紐などの接続具を設けておいて、これで携帯端末にアクセサリー本体部を取り付けるようにしているが、本発明の情報アクセサリーにはさらにハンドストラップを取り付けるようにしてもよい。これであれば他のハンドストラップを取り付ける必要がなくなる。またハンドストラップを取り付けた場合であって、且つ認証コードを用いる場合に、この認証コードをハンドストラップ側に付すようにしてもよい。この他本発明の情報アクセサリーにネックストラップを取り付けるなども可能である。
【００１１】
次にアクセサリー本体部は、一方の面側に写真やイラストなどのイメージが付されており、他方の面側に２次元コードが付されているものとすることができる。一方の面側にあるイメージは従来同様のアクセサリーとなり、他方の面側の２次元コードによりさらなる情報や情報提供サイトのコンテンツにアクセス可能である。
【００１２】
次に本発明の情報アクセサリーでは前記２次元コードに汚れ防止の透明カバーが掛けられているものとすることができる。上述したようにＱＲコード（登録商標）などの二次元コードはこれまで、一般的に広告ポスターや雑誌などの印刷物に印刷された状態で利用されていた。これでは濡れたり汚れたりして読み取り辛くなった場合に、水気や汚れを拭うようなことは相手が紙でありまたその上に印刷されたものであるために難しいことであった。二次元コードでは誤り訂正レベルが設定されているが、これを越えて汚れた場合には実質的に読み取りができなくなる。従って二次元コードは汚れていてはいけないのであるが、２次元コードに汚れ防止の透明カバーを掛けることで、その上を拭うなどが可能となり、汚れなどに気を使うことなく持ち運びできるようになる効果は大きい。なお透明合成樹脂製の薄板の裏面に左右を反転した２次元コードを印刷し、その上に白色のベタ印刷を施したものでは、読み取る側である表面に汚れカバーが実現されているものと考えることができる。
【００１３】
同様の機能は次のように構成することでも実現可能である。すなわちアクセサリー本体部が透明体から成り、この透明体の裏面側に反転された２次元コードが付されている情報アクセサリーとすればよい。従って透明体の表面側からは、透明体を透して正しい姿勢の２次元コードを見ることができ、しかも透明体の表面が汚れたとしてもその上を拭うなどしてクリーンにすることができる。
【００１４】
次に本発明の情報アクセサリーでは前記２次元コードに秘匿用のマスクが掛けられているものとすることができる。上述のように提供可能な情報の種類は任意であるが、例えば京都などの観光地でお土産として本発明の情報アクセサリーを販売するものとした場合、アクセサリー本体部にＵＲＬアドレスを２次元コードで付しておき、このＵＲＬアドレスにカメラ付きの携帯電話に内蔵されているＷＷＷブラウザでアクセスするものとすると、ＷＷＷブラウザで表示可能なコンテンツとしては京都の絵葉書、観光スポットまでの道案内や地図、寺社の解説、占いやおみくじと言ったものを用意しておくとよい。この際販売するのはアクセサリーと言うよりはむしろコンテンツと言う情報であると見ることができる。であれば本発明の情報アクセサリーを購入してもらうまでは、目的のＵＲＬアドレスにアクセスすることができないようにしておくのも一手である。前記２次元コードに掛けられた秘匿用のマスクは、これを取り去るまでは２次元コードを隠蔽しておくことができるのである。このマスクとしてはスクラッチ印刷（いわゆる銀はがしであるが、銀インキのカスが出ないものもある）や剥離可能なラミネートシールなどを利用すればよい。なお銀はがしやラミネートシールの表面にダミーの２次元コードを付しておくことによって、この下に２次元コードが隠蔽されていることが知れるも正しいＵＲＬアドレスを読み取ることができない、とすることが可能である。
【００１５】
また本発明の情報アクセサリーでは、前記認証コードに秘匿用のマスクが掛けられているものとすることができる。ここでもマスクによって認証コードを隠蔽することができるのである。なお２次元コードと認証コードとの両方を用いる場合に、マスクを掛けるのは何れか一方でもよいのであるが、その両方に掛けてよいことは言うまでもない。
【００１６】
ところで上述した携帯端末と情報サーバとから成るサーバクライアントシステムに関しては、情報サーバが携帯端末に携帯端末所望の情報を送信するに先立って、情報サーバは携帯端末の位置情報を取得して、この位置情報に依存する情報を選択的に送信するようにすることができる。携帯端末の位置情報とはすなわちこの携帯端末を持ち歩いているユーザーが今いる位置に関する情報のことである。携帯端末が情報サーバとの通信に携帯電話網を利用している場合などでは、最寄りの基地局（後述する図９の基地局３０１など）の位置を以て位置情報とし、携帯端末がＧＰＳ(Global Positioning System)装置を備えている場合には、ＧＰＳ衛星からの電波で正確な位置を割り出して位置情報とすることができる。従って情報サーバが提供可能な情報の中から、ユーザーが今いる土地の地図や観光案内や地域掲示板などを選択的に送信することができるようになる。このようにして情報サーバ側では地域異存の木目細やかなサービスを提供し得る。
【００１７】
なお本発明の情報アクセサリーの２次元コードに経緯度などの位置情報を含ませておけば、これを情報サーバへ送信することで情報サーバが位置情報として利用することができる。２次元コードには複数の位置情報を記録しておくことができるから、例えば京都東山地区であれば幾つもある主要観光スポットの位置を本発明の情報アクセサリーに埋め込んでおくことが可能であり、ユーザーはこの中から今いる観光スポットを選択して利用したり、訪問先の予習や復習のために所要の観光スポットを選択して利用すればよい。
【００１８】
ところで上述した携帯端末と情報サーバとから成るサーバクライアントシステムに関しては、情報サーバが携帯端末に認証を求めた際に携帯端末は認証コードを送信するに当たって、例えば携帯電話のキースイッチのような携帯端末の入力装置を用いている。これを入力装置に頼るのではなくパスワードを変換した２次元コードをカメラで読み取って送信することが可能であれば、操作性がぐんと向上するに違いない。そこで本発明の情報読み取りプログラムでは、２次元コードを読み込んでこのデータが示すサーバに接続することができるカメラ付き携帯電話などの携帯端末に、第１の２次元コードを読み込んで、このデータが示すサーバに接続し、このサーバから送信されたパスワードなどを入力するための入力フォームに第２の２次元コードを読み込んでこのデータを入力して、前記サーバへ送信するようにした。これによって入力装置を用いてパスワードを打ち込むなどの面倒な操作が不要となり、スピーディーな操作が可能となっている。
【００１９】
ところで従来のバーコードより大きな情報量を持つスタック型やマトリックス型の２次元コードではあるが、それでも例えばＱＲコード（登録商標）では英数字４２９６文字、漢字１８１７文字と言う制限がある。また複数の２次元コードがある場合に、一度に読み取れる２次元コードは一つに限られる。従ってこれより多くの情報量は実質的に扱えないと言う問題がある。これを敢えて扱うのであれば、一つ一の２次元コードを読み取るごとにテキストファイルとして保存し、後にこれらをエディタ上で繋ぎ合わせる編集を手作業で行なわなくてはならないと言う、たいへん面倒なことになる。そこで本発明の情報読み取りプログラムでは、２次元コードを読み込んでデータを取り出すことができるカメラ付き携帯電話などの携帯端末に、複数の２次元コードを順次読み込んでデータを取り出し、それらを連結して出力するようにしている。これによれば幾つでも連続して２次元コードが読み取られ、最後にそれらが連結されるため、扱える情報量は実質的に無制限となり、またユーザーには負担が掛からないと言う効果がある。なおデータの出力は、一般的には携帯端末の表示画面への出力であるが、通信機能を利用して送信するように設計することなども可能である。
【００２０】
この利用目的に合うように、複数個の２次元コードが付されていると共にそれらの読み取り順が示されているものとすることができる。例えば各々の２次元コードに読み取り順を示す数字を副えておくのである。このようにして前記テキストを順番通りに繋げることが容易となる。なお数字は２次元コードの外に置いても、誤り訂正レベルを越えない程度に２次元コードの中に置くようにしてもよい。なお前記情報読み取りプログラムに関し、複数の２次元コードの各々に読み取り順を示す数字を挿入しておき、これに基づいて所望の順に繋ぎ合わせる編集を行なえるようにする機能を追加するとなおよい。こうしておけば、どのような順序で２次元コードを読み取るかに付いて、ユーザーは気を使わずに済むのである。
【００２１】
なおこれまでのカメラ付き携帯電話では、２次元コードの内容中にＵＲＬアドレスとして認識される文字列がある場合には、ユーザーがこのＵＲＬアドレスを選択すると、この２次元コードの読み取りプログラムはＷＷＷブラウザを立ち上げてこのＵＲＬアドレスを引き渡すと言う処理を行なっている（ＵＲＬｔｏ機能）。これと同様にＭａｉｌｔｏ機能ではメーラを起動してデータとその処理とを引き渡し、Ｐｈｏｎｅｔｏ機能では電話発信に処理を引き渡し、アドレス帳入力機能ではアドレス帳に登録処理を引き渡すなど、他のアプリケーションと連係が取れるように設計されている。しかしながら上述の請求項１１の情報システムや請求項１３の情報読み取りプログラムでは、２次元コードの内容が示す情報サーバに接続して、この情報サーバからの認証に対して次の２次元コード読み取りを行ない、この内容を情報サーバへ送信する処理を携帯端末側で行なっている。このようなことはこれまでにはなかった。また請求項１４の情報読み取りプログラムでは複数の２次元コードを順次読み込んで情報を取り出しそれらを連結して出力している。このようなこともこれまで全くなかったことであり、これができるようになった効果は大きい。
【００２２】
また同様に、請求項１５の発明のような処理もこれまでにはなかったものである。すなわちこの情報読み取りプログラムでは、２次元コードを読み込んでデータを取り出すことができるカメラ付き携帯電話などの携帯端末に、２次元コードを読み込んでデータを取り出し、その中から一部分を所定の規則に則って切り出して出力するようにした。これまでのように読み込んだデータの全てを出力するのではなく、その内の一部分（ブロック）を出力するようにしたのである。所定の規則とは、例えばブロック毎に数字を重複がないように振っておき選択キーが押される毎に若い数字順にブロックを表示したり、スペースによってブロック間を区切っておきランダムに選んだブロックを切り出して表示するなどの規則のことである。例えば前者は英単語カードを構成することができるし、例えば後者は誕生月占いとして実施することが可能である。なおこのような情報読み取りプログラムは予め携帯端末にインストールされているようにするか、或いは最初に２次元コードを読み込んだ時にＵＲＬアドレスが表示されるようにして、ここにアクセスさせることでダウンロードさせ、携帯端末にインストールされるように設計してもよい。
【発明の効果】
【００２３】
本発明の情報アクセサリーは、取付紐などの接続具を設けたアクセサリー本体部に２次元コードを付しているので、２次元コードがカメラ付き携帯電話などの携帯端末と一緒に持ち歩けるようになり、この２次元コードを携帯端末のカメラで撮ることによりいつでも容易に情報にアクセスできるという利点がある。なおさらにこの情報アクセサリーの任意箇所に認証コードを付したものでは、認証コードを用いてアクセス認証することができるようになっており、この情報アクセサリーを手にしていれば、正規ユーザーとして情報へのアクセスが許される。
【００２４】
また本発明の情報システムは、２次元コードが付されたアクセサリー本体部が取付紐などの接続具によって取り付けられている携帯端末が、前記２次元コードを基に情報サーバと通信し、情報アクセサリーに設けた認証コードを基に認証することで、情報サーバから携帯端末へ情報が送信される。従って本発明の情報アクセサリーを携帯端末と一緒に持ち歩くことで、いつでも容易に且つ正規ユーザーとして情報にアクセスできるという利点がある。
【発明を実施するための最良の形態】
【００２５】
本発明ではカメラ付き携帯電話などの携帯端末を持ち歩いてさえいれば、何時でもコンテンツにアクセスできるようにしたいという目的を、アクセサリー本体部に２次元コードを付すことにより実現している。コンテンツとしては２次元コードの内容中に在ってそのまま出力されるもの（図２の符号２０など）の他、ＵＲＬアドレスなどの形を取って情報サーバにアクセスすることにより得られるもの（図７の符号５３など）がある。すなわち前者は通信しないものであり、後者は通信するものであると言うことができる。なお以下に説明する実施例では携帯端末としてカメラ付き携帯電話を使用しており、２次元コードの代表として株式会社デンソーウェーブのＱＲコード（登録商標）を使用しており、図面に於いてカメラ付き携帯電話で実際に読み取ることができるようになっている。しかしながら説明中では２次元コードと称するものとする。
【実施例１】
【００２６】
図１および図２を用いて実施例１の情報アクセサリーを説明するが、この情報アクセサリーは寺社で販売される土産用のお札に関するものである。絵馬に似せて裁断した紙製のアクセサリー本体部１の上部には孔部１０が開孔されており、この孔部１０にマツバ紐の接続具１１が通されて取り付けられている。またアクセサリー本体部１の裏面には２次元コード２が印刷されている。この２次元コード２のコンテンツはおみくじであって、その具体的内容は図２のおみくじ表示画面２０で表わされている。なおこの２次元コード２には漢字で約１５００字の内容を入れることができる。なおアクセサリー本体部１の表面は図示しないが、ここには絵馬の絵が印刷されている。またここではアクセサリー本体部１は紙製であるが、これを木札とすることも好ましい。
【００２７】
図２で示すようにアクセサリー本体部１は接続具１１によって携帯電話３の紐通し孔に接続されて一体化されている。従ってこのお札はいつも携帯電話３と共にあって情報用具兼アクセサリー（お守り）の役目を果たす。この２次元コード２をカメラで撮影すると、携帯電話３に内蔵されている２次元コード読み取りプログラムの動作により携帯電話３の表示部３０（液晶画面）におみくじが表示される。従ってユーザーはこの絵馬を購入し、携帯電話３にアクセサリーとして取り付けることができる。またこの前後に占って遊ぶことができる。なおおみくじの内容を文字ではなくイメージとすることも可能である。
【実施例２】
【００２８】
この実施例の情報アクセサリーを図３および図４を用いて説明する。この実施例の特徴は上述した実施例１のアクセサリー本体部１の裏面に電子メール作成に必要な項目が書き込まれた２次元コード２１が印刷されており、且つこの２次元コード２１の上を覆うようにして透明カバー１２が接着されている点にある。この２次元コード２１をカメラで読み取ると、図４のプレゼント応募用のメール表示画面２２が表示されるように設計されているので、ユーザーはメール表示画面２２に本文を書いて送信することができる。懸賞によってラッキーかそうでないかを占うことができると言う趣向である。
【００２９】
２次元コード読み取りプログラムは、所定の電子メール形式で記載された２次元コード２１を読み込んでその内容を表示するが、この中には携帯電話３のネイティブである電子メールプログラムへ処理を引き渡すアンカが埋め込まれている（図示せず）。そこでこのアンカが選択されると、電子メールプログラムにてメール表示画面２２を表示するように設計されている。また前記透明カバー１２は２次元コード２１の表面を覆って、汚れから２次元コード２１を保護することができる。従って万一汚してカメラでの読み取りができなくなってしまったような場合には、この透明カバー１２上を拭けば再び読み取れるようになる。
【実施例３】
【００３０】
この実施例ではハンドストラップ４４付きのアクリル根付け４のアクセサリーと、これを取り付けた携帯電話３と電話局３８とによって構成される情報システムとを説明する。すなわち透明なアクセサリー本体部４に関しては図５および図６で表わされている通り、内部に封入した台紙５の背面には２次元コード５０とその下のパスワード５１の文字列が印刷されており、また台紙５の表面には写真５２が印刷されている。またアクセサリー本体部４の上部には孔部４０が開孔されており、この孔部４０にマツバ紐の接続具４３が通されて取り付けられている。この接続具４３とさらに別のマツバ紐の接続具４２とハンドストラップ４４とは合成樹脂製の止め具４１で一体化されている。これ等は接続具４２を以て携帯電話３の紐通し孔に接続されて一体化されている。従ってこのアクリル根付け４はいつも携帯電話３と共にあって情報用具であると共に透明感のある美麗なアクセサリーの役目を果たす。２次元コード５０とパスワード５１の文字列はアクリル根付け４の表面側からアクリルを透して実にクリアに見られる。なおこのアクリル根付け４には薄い着色やラメを混入させたりすることが可能であり、また蛍光顔料や夜光顔料を混入させることもできる。さらに下部に人形のアクセサリーなどを吊り下げる構成も可能である。
【００３１】
２次元コード５０を透明なアクリルを透してカメラで撮影すると、携帯電話３に内蔵されている２次元コード読み取りプログラムの動作により、ＵＲＬ表示画面５３が携帯電話３の表示部３０に表示される（図７）。これは「旅のアルバム」と称するマクロメディア社のフラッシュ（登録商標）で制作された観光写真のスライドショーへのリンクを示すものである。
【００３２】
次にこの実施例の情報システムを構成する携帯電話３を図８のブロック図により、また電話局３８を含む全体を図９のブロック図により表わす。この撮影部３２（カメラ）付きの携帯電話３の前面には、テンキーやファンクションキーから成る操作部３１と液晶画面の表示部３０とが露出して設けられており、また背面には撮影部３２が設けられている。また携帯電話３の内部には電話機としての音声通話やパケット通信のための通信部３７、制御ソフトウェアなどが記録された記憶部３６、およびこれ等を制御するＣＰＵ(Central Processing Unit)を中心とした制御部３３が納められている。また前記記憶部３６には２次元コード読み取りプログラムおよびＷＷＷブラウザプログラムがインストールされている。この２次元コード読み取りプログラムはＵＲＬアドレスなどのテキストがデコードされた２次元コード５０を読み込んでその内容を表示する処理を制御部３３に実行させるものである。この２次元コード読み取り部３４で読み取った内容には携帯電話３のネイティブアプリケーションであるＷＷＷブラウザプログラムへ処理を引き渡すアンカ（ＵＲＬアドレス）が埋め込まれている。そこでこのアンカが選択されると、前記ＷＷＷブラウザプログラムによりこのＵＲＬアドレスにアクセスするように設計されている。従ってこの実施例で２次元コード読み取り部３４およびＷＷＷブラウザ部３５は、ソフトウェア的に制御部３３内に形成される（図８）。
【００３３】
電話局３８は電話局としての処理のほかに、携帯電話３と通信を行なってコンテンツを提供する情報サーバ３９として動作する。情報サーバ３９はＷＷＷサーバ３００と記憶部３０１とから構成され、ＷＷＷ(World Wide Web)で提供可能なコンテンツが記憶部３０１に記録されており、これを携帯電話３からの要求によりＷＷＷサーバ３００が読み出して送信する。電話局３８には複数の基地局３０２が接続されており、このシステムの構成要素である携帯電話３は最寄りの基地局３０２と交信してＷＷＷサーバ３００に接続され、所定のコンテンツを得ることができる。なお電話局３８は位置情報制御部３０３を備え、この位置情報制御部３０３内に位置情報テーブル３０４を有しており、前記最寄りの基地局３０２と交信している携帯電話３の位置をこの基地局３０２の略位置として、この位置情報テーブル３０４に記録している。これは後述する実施例６で活用される。
【００３４】
この実施例の情報システムの通信手順の説明図は図１０で示す通りであり、携帯電話３がその撮影部３２（カメラ）によって、携帯電話３に取り付けられているアクリル根付け４の２次元コード５０を読み込んで、その内容であるＵＲＬアドレスを図７のＵＲＬ表示画面５３に表示する。そこでユーザーがこのＵＲＬアドレスを選択すると、携帯電話３のＷＷＷブラウザに処理が引き継がれて、ＷＷＷブラウザが電話局３８の情報サーバ３９のＷＷＷサーバ３００にＷＷＷページの送信要求を行なう。ここで一旦ＷＷＷサーバ３００はＷＷＷブラウザに対して認証要求を行なう。これはユーザが正規購入者であるか否かをチェックするためのものであり、正規購入者であればその携帯電話３に取り付けられているアクリル根付け４に記載のあるパスワード５１（図５）をこの携帯電話３から入力することができるはずだからである。こうしてユーザがパスワード５１を操作部３１から入力すると、このパスワード５１をＷＷＷブラウザ部３５がＷＷＷサーバ３００へ送信する。ＷＷＷサーバ３００がこれを認証してユーザ所望のＷＷＷページをＷＷＷブラウザ部３５へ送信する。こうして携帯電話３の表示部３０にＷＷＷページが表示されるが、この内容は正に携帯電話３に取り付けられているアクリル根付け４に２次元コード５０として記載されているＵＲＬアドレスが指し示すコンテンツそのものなのである。
【実施例４】
【００３５】
この実施例の情報アクセサリーを図１１乃至図１３を用いて説明するが、アクセサリー本体部６が蛍光顔料入りの透明なアクリル棒でできており、この上部には孔部６０が開孔されており、ここにボールチェーンの接続具６１が通されて取り付けられている。そしてこの実施例の特徴は透明なアクセサリー本体部６の背面に２つの２次元コード２，２３が上下に並べて印刷されており、さらにこの上を覆うようにしてアクセサリー本体部６の背面の全体に白色シート２４が貼り合わされている点にある。従ってこのアクリル棒のアクセサリー本体部６はいつも携帯電話３と共にあって、情報用具であると共に透明感のある美麗なアクセサリーの役目を果たす。特にアクリル棒の表面側から見る２次元コード２，２３はクリアである。またアクリル棒には蛍光顔料が含まれているため蛍光を発するが、背面の白色シート２４はこの蛍光発光をさらに明かるく見せることができる。なお例えばこのアクリル棒の下端に電池で発光するライトを取り付けて、アクリル棒方向に光を発するように構成すると、夜間や暗所で便利な携帯ライトとなる。
【００３６】
この実施例では２つ設けられた２次元コード２，２３の内、２次元コード２を第１の２次元コードと称し２次元コード２３を第２の２次元コードと称する。第１の２次元コード２にはＷＷＷベースの掲示板システムを指示するＵＲＬアドレスが記載されており、また第２の２次元コード２３にはパスワードが記載されている。そこでこれ等の読み取り手順を図１３のフローチャートを用いて説明する。まず最初に第１の２次元コード２を透明なアクリルを透して撮影部カメラ３２で撮影する（ステップＳ１）。次に２次元コード読み取りプログラムは２次元コード２からＵＲＬアドレスを読み取って、このＵＲＬアドレスにアンカを埋め込んで表示するが、ユーザがこのＵＲＬアドレスを選択するとこのＵＲＬアドレスの処理をＷＷＷブラウザプログラムへ引き渡す（ステップＳ２）。そしてＷＷＷブラウザプログラムがこのＵＲＬアドレスが指す掲示板システムにアクセスすると、これに呼応してＷＷＷサーバは認証ページをＷＷＷブラウザに送信してくるので、ＷＷＷブラウザはこの認証ページを表示する（図示せず）。ここで第２の２次元コード２３を撮影部３２で撮影すると、２次元コード読み取りプログラムは２次元コード２からパスワードを読み取り（ステップＳ３）、この２度目の撮影では図１２に示したパスワード認証の表示画面２５と確認画面２６とをカスケード表示し、ユーザが確認画面２６上のＹＥＳボタン２７を選択したら前記パスワードを認証ページのフォームに入力してＷＷＷサーバへ送信する（ステップＳ４）。これによってＷＷＷサーバで認証が為されたら、ＷＷＷサーバは掲示板のＷＷＷページを送信してくることになる。なお２つの２次元コード２，２３には読み取り順の表示を設けるようにしても良い。
【実施例５】
【００３７】
次に図１４はこの実施例の情報読み取りプログラムの処理手順をフローチャートで表わしたものである。これは２次元コード読み取りプログラムにこの実施例の機能を追加したものであり、図示しない表示画面には２次元コードの読み取り結果と、さらに続けて別の２次元コードを読み取るか、これで完了するかの２つのソフトキー、すなわち「継続読み込み」と「完了」とを表示する。ユーザーが「継続読み込み」を選択し続ける限りに於いては読み込み結果を記憶装置に記録しておくようにする。
【００３８】
すなわち２次元コードを読み取り（ステップＳ５）、読み取った内容を記憶装置に記録し（ステップＳ６）、「継続読み込み」の間は続けて読み取って記録して行くが「完了」によってループを外れ（ステップＳ７）、これまでの記録を全て繋げて表示し（ステップＳ８）、終了する。なおこの実施例では記録の繋がり順序は読み取った順としているが、例えば各々の２次元コード内に連続番号を付しておき、２次元コード読み取りプログラムがこの番号を認識して、たとえバラバラに読み取られた結果であっても、この番号の順序で繋いで行くように設計することができる。また２度読み取りしたような場合には、この番号を参照して重複分を削除するように設計することも可能である。
【実施例６】
【００３９】
この実施例６の２次元コード読み取りプログラムを、図１５および図１６を用いて説明する。図１５は２次元コードにエンコードされる前の占いマスターテーブル２８である。個々の占い結果は見出し２９と内容２００とから構成され、隣り合う占い結果はスペース２０１で区切られて、見出し２９と内容２００とから成るブロックに分けられているが、これは単なるテキストファイルである。この占いマスターテーブル２８を２次元コードにエンコードしてアクセサリー本体部に付し、このアクセサリー本体部を接続具により携帯電話３に取り付けておく。
【００４０】
そしてこの実施例の２次元コード読み取りプログラムは、前記２次元コードをカメラで読み取って占いマスターテーブル２８を復元し（ステップＳ９）、前記スペース２０１を目印にして切り出した切り出しブロック２０２の中からランダムに一つを選び（ステップＳ１０）、この選択された切り出しブロック２０２を携帯電話３の表示部３０に表示する（ステップＳ１１）。このようにして選択された切り出しブロック２０２には見出し２９と内容２００とが記載されているが、これはカメラで読み取る毎にランダムに選ばれたものであるから、占いになるのである。従って何度占って遊んでもユーザーは飽きることがないと言う効果があり、この発明は重要である。
【００４１】
なお上記では２次元コード読み取りプログラムがカメラで読み取りからランダムな切り出し表示までを一括して担当しているが、これとは別に２次元コード読み取りプログラムが、複数の占い結果の中からランダムに一つを選んでおみくじ表示画面を作る、別のプログラムに処理を引き渡すようにしてもよい。また占いマスターテーブル２８は複数の占い結果をスペースで区切っているが、このあたりの設計は自由である。
【実施例７】
【００４２】
この実施例では図１７によって、後述する実施例１０の液晶画面クリーナー８、を取り付けた携帯電話３と電話局３８とによって構成される情報システムを説明する。この情報システムは、上述した実施例３の情報システムを利用している（図９を参照）。ここでは図示しない液晶画面クリーナー８はマツバ紐の接続具８４によって携帯電話３に取り付けられているが、この液晶画面クリーナー８には２次元コード８２が印刷されている。この２次元コード８２は地図へアクセスするためのＷＷＷサーバを指すＵＲＬアドレスが書き込まれている。
【００４３】
２次元コード８２をカメラで撮影すると携帯電話３に内蔵されている２次元コード読み取りプログラムの動作により、ＵＲＬ表示画面が携帯電話３の表示部３０に表示される。そこでユーザーがこのＵＲＬアドレスを選択すると、携帯電話３のＷＷＷブラウザに処理が引き継がれて、ＷＷＷブラウザが電話局３８の情報サーバ３９のＷＷＷサーバ３００にＷＷＷページの送信要求を行なう。一方電話局３８では位置情報制御部３０３が位置情報テーブル３０４から携帯電話３の現在位置を取得できる状態となっている。そこでＷＷＷサーバ３００はＷＷＷブラウザに対してこの位置情報を使用しても良いか否かの回答要求を行なう。これは位置情報によって携帯電話３が現在いる周辺の地図を携帯電話３へ送るためのものであり、地図のみならず地域依存の情報をタイミング良く提供することができるからである。こうしてユーザが図示しない操作部３１の選択ボタン操作して許可を出すと、ＷＷＷブラウザがＷＷＷサーバ３００へ送信する。これによってＷＷＷサーバ３００から位置情報に依存した地図が送られて来て、携帯電話３の表示部３０に表示されるのである。なお地図は正確な地図であってもイラストの案内図などであってもよい。また地域依存情報としては、その地域の天気情報、その地域の掲示板、その地域の観光写真などを上げることができる。
【実施例８】
【００４４】
この実施例では図１８によって、後述する実施例１０の液晶画面クリーナー８、を取り付けた携帯電話３と電話局３８とによって構成される情報システムを説明する。この情報システムは、上述した実施例３の情報システムを利用している（図９を参照）。ここでは図示しない液晶画面クリーナー８はマツバ紐の接続具８４によって携帯電話３に取り付けられているが、この液晶画面クリーナー８には２次元コードが印刷されている。この２次元コードは地図へアクセスするためのＷＷＷサーバを指すＵＲＬアドレスが経緯度情報と共に書き込まれており、このようなＵＲＬアドレスが複数記載されている点に特徴を有する。
【００４５】
この２次元コードをカメラで撮影すると携帯電話３に内蔵されている２次元コード読み取りプログラムの動作により、ＵＲＬ表示画面８５が携帯電話３の表示部３０に表示される。このＵＲＬ表示画面８５のタイトルは「京都東山地区」であり、これに続けていくつかのスポットが書き込まれている。そして各々のスポットはＷＷＷサーバ側の地図表示のためのＣＧＩ(Common Gateway Interface)プログラムを示すＵＲＬアドレスに各スポットの東経情報と北緯情報とを追加して成るものである。従ってユーザーがこれ等のスポットの中から一つを選択すると、この位置情報を含んだＵＲＬアドレスがＷＷＷサーバに送信され、これによってＷＷＷサーバから正にこの経緯度合点を中心に置いた地図が送られて来て、携帯電話３の表示部３０に表示されることになる。ユーザーは今いる観光スポットを前記ＵＲＬ表示画面８５の中から選んで利用したり、或いはこれから訪問する予定の、また既に訪問し終えたスポットを前記ＵＲＬ表示画面８５の中から選んで利用すれば良いのである。
【００４６】
なおこの実施例８と上述した実施例７とを組み合わせることができ、状況に応じて使い分けるようにすることが可能である。すなわち前記ＵＲＬ表示画面８５の最上段に実施例７のＵＲＬアドレスを追加すれば良い。
【実施例９】
【００４７】
次にこの実施例の情報アクセサリーを図１９を用いて説明する。アクセサリー本体部７はミニブックであり、内部に３枚のページ（取り出したページ７１と、収納されたままの２枚のページ７２と）を備えている。各々のページは背に近い上の角でハトメ７０により回動自在となるように止められている。このハトメ７０の孔には革紐の接続具７４が通されており、この接続具７４によってアクセサリー本体部７が携帯電話に接続される。なお前記ページ７１，７２も表紙も合成樹脂板からなり、前記ページ７１，７２の表裏に２次元コードのシールが貼付されている。また表裏の表紙は止めバンド７３でホック止めされて不本意には開かれないようになっている。
【００４８】
そこでユーザーは止めバンド７３を外して所要のページを回転させて引き出し、これに貼付されている２次元コードをカメラで撮影するのである。撮影が終わったらこのページを戻し回転させて表裏の表紙の間に納めてバンド７３で止めるようにする。この実施例の情報アクセサリーによれば、より多くの数の２次元コードを持ち歩くことができると言う効果がある。
【実施例１０】
【００４９】
次にこの実施例の情報アクセサリーを図２０の背面図を用いて説明する。アクセサリー本体部８は液晶画面クリーナーであり、２枚のシートの間にスポンジの層を挟み、周囲の溶着部８１で表裏を止めて成るものであり、背面側のシートの一部に汚れ取り生地８０が用いられている。前記溶着部８１の一部には孔部８３が開孔されており、この孔部８３にマツバ紐の接続具８４が通され、この接続具８４によって携帯電話３に取り付けられる。また前記背面側のシートの一部に汚れ取り生地８０が用いられていない部位が設けられており、ここに２次元コードが印刷されている。なおアクセサリー本体部８の表面には美麗な絵柄が印刷されている。
【００５０】
２次元コードはもちろん表面側に設けてもよいが、こちら側は見せるためのものであるから、背面側に付けるのが好ましくまた液晶画面の汚れを拭き取る部分から外れていることが好ましい。この実施例では２次元コードが印刷されている部位をつまんで、汚れ取り生地８０の部分を液晶画面にこすり付けるものとしている。
【実施例１１】
【００５１】
次に図２１で示すこの実施例の情報アクセサリーは、上述した実施例１のアクセサリー本体部１の裏面の２次元コード２の上を覆うようにして、スクラッチ印刷部９が形成されている点に最大の特徴を有する。スクラッチ印刷によるものは「銀はがし」などと呼ばれて景品カードに用いられている。このスクラッチ印刷の層をコインや爪で擦って除去すると、その下に印刷されているクジが見え、当たり外れが分かると言うものであり、ゲーム性や射幸性を備えている。このようなスクラッチ印刷がアクセサリー本体部１に付された２次元コード２を隠すようにして印刷されている。
【００５２】
これは本発明の情報アクセサリーの購入前に、２次元コードが読み取られてしまうことを防ぐためのものであり、またゲーム性を付与したものである。購入後にユーザーはこのスクラッチ印刷部９をコインなどで擦って落とし、現われた２次元コード２を読み取るのである。この機能は情報を有料販売しようとする場合などに大いに役立つ。
【実施例１２】
【００５３】
次に図２２で示すこの実施例の情報アクセサリーは、上述した実施例３のアクリル根付け４の背面側から見える台紙５部分を覆うようにして、すなわち２次元コード５０およびパスワード５１を隠すようにして、ラミネートシール９０をアクセサリー本体部４の背面に貼り付けて成るものである。なおラミネートシール９０の左側の下端にはアクセサリー本体部４に接着していない剥離案内部９１を設けてあり、またこのラミネートシール９０の表面にはダミーの２次元コード５４が印刷されている。
【００５４】
このラミネートシール９０を接着してある目的は、上述した実施例１１と同様であり、情報アクセサリーの購入前に２次元コードが読み取られてしまうことを防ぐためであり、またゲーム性などの娯楽を付与するためである。ラミネートシール９０はアクリル根付け４にピタリと接着しているが、剥離案内部９１から持ち上げるようにすると、層間剥離によって容易に剥離することができる。これによって現われた正しい２次元コード２を読み取ることができるようになる。なおここで正しいと説明したのは、ラミネートシール９０の表面のダミーの２次元コード５４との対比からである。すなわちダミーの２次元コード５４はカメラでの読み取りが行なえないものか、読み取れても所望の情報でなかったり、注意書きであったりする。なおラミネートシールの代わりとして粘着シールを用いることも可能である。
【産業上の利用可能性】
【００５５】
２次元コード化の対象となるものは単に文字列に限られず、イメージを圧縮したものも可能である。例えば占いとしてタロットカードを記録しておくことも可能である。これを読み取り解凍して表示するアプリケーションを提供すればよい。２次元コードは布面などに焼き印で付けることも可能である。またこのアクセサリーの売り場で、ユーザーが希望する内容の２次元コードを作成して、これをユーザーが選択したアクセサリーに貼付し、商品として販売することなども可能である。これを利用すればユーザーの顔写真の２次元コードが付されたアクセサリーを提供することができる。
【図面の簡単な説明】
【００５６】
【図１】実施例１のお札の背面図である。
【図２】おみくじ表示画面の説明図である。
【図３】実施例２のお札の断面を表わす模式図である。
【図４】応募用メール表示画面の説明図である。
【図５】実施例３のアクセサリーの背面図である。
【図６】このアクセサリーの断面を表わす模式図である。
【図７】アルバムを指すＵＲＬ表示画面の説明図である。
【図８】この情報システムを構成するカメラ付き携帯電話機のブロック図である。
【図９】この情報システム全体を表わすブロック図である。
【図１０】この情報システムの通信手順の説明図である。
【図１１】実施例４のアクセサリーの断面を表わす模式図である。
【図１２】パスワード認証画面の説明図である。
【図１３】２次元コード読み取りプログラムの処理手順を表わすフローチャートである。
【図１４】実施例５の２次元コード読み取りプログラムの処理手順のフローチャートである。
【図１５】実施例６の２次元コードのデコードデータの説明図である。
【図１６】２次元コード読み取りプログラムの処理手順を表わすフローチャートである。
【図１７】実施例７の情報システムの通信手順の説明図である。
【図１８】実施例８の位置情報に基づく案内地図を指すＵＲＬ表示画面の説明図である。
【図１９】実施例９のアクセサリーの斜視図である。
【図２０】実施例１０のアクセサリーの背面図である。
【図２１】実施例１１のアクセサリーの背面図である。
【図２２】実施例１２のアクセサリーの背面図である。
【符号の説明】
【００５７】
１    アクセサリー本体部（紙製絵馬）
１０  孔部
１１  接続具（マツバ紐）
１２  透明カバー
２    ２次元コード
２０  おみくじ表示画面
２１  ２次元コード
２２  メール表示画面
２３  ２次元コード
２４  白色シート
２５  パスワード認証の表示画面
２６  確認画面
２７  ＹＥＳボタン
２８  占いマスターテーブル
２９  見出し
２００  内容
２０１  スペース
２０２  切り出しブロック
３    携帯電話
３０  表示部
３１  操作部
３２  撮影部（カメラ）
３３  制御部
３４  ２次元コード読み取り部
３５  ＷＷＷブラウザ部
３６  記憶部
３７  通信部
３８  電話局
３９  情報サーバ
３００  ＷＷＷサーバ
３０１  記憶部
３０２  基地局
３０３  位置情報制御部
３０４  位置情報テーブル
４    アクセサリー本体部（アクリル根付け）
４０  孔部
４１  止め具
４２  接続具（マツバ紐）
４３  連結紐（マツバ紐）
４４  ハンドストラップ
５    台紙
５０  ２次元コード
５１  パスワード
５２  写真
５３  ＵＲＬ表示画面
５４  ダミーの２次元コード
６    アクセサリー本体部（蛍光顔料入りアクリル棒）
６０  孔部
６１  接続具（ボールチェーン）
７    アクセサリー本体部（ミニブック）
７０  ハトメ
７１  ページ
７２  ページ
７３  止めバンド
７４  接続具（革紐）
８    アクセサリー本体部（液晶画面クリーナー）
８０  汚れ取り生地
８１  溶着部
８２  ２次元コード
８３  孔部
８４  接続具（マツバ紐）
８５  ＵＲＬ表示画面
９    スクラッチ印刷部
９０  ラミネートシール
９１  剥離案内部
【図１】
2006330907.tif 000003
【図２】
2006330907.tif 000004
【図３】
2006330907.tif 000005
【図４】
2006330907.tif 000006
【図５】
2006330907.tif 000007
【図６】
2006330907.tif 000008
【図７】
2006330907.tif 000009
【図８】
2006330907.tif 000010
【図９】
2006330907.tif 000011
【図１０】
2006330907.tif 000012
【図１１】
2006330907.tif 000013
【図１２】
2006330907.tif 000014
【図１３】
2006330907.tif 000015
【図１４】
2006330907.tif 000016
【図１５】
2006330907.tif 000017
【図１６】
2006330907.tif 000018
【図１７】
2006330907.tif 000019
【図１８】
2006330907.tif 000020
【図１９】
2006330907.tif 000021
【図２０】
2006330907.tif 000022
【図２１】
2006330907.tif 000023
【図２２】
2006330907.tif 000024